(57)【要約】【課題】  映像データを圧縮して記憶可能な放送受信端末を提供する。【解決手段】  放送受信端末が実行する録画処理は、映像記録再生装置が接続されている場合に（Ｓ５０４にてＹＥＳ）、受信信号を符号化して画像データを生成するステップ（Ｓ５０６）と、画像データをＲＡＭに格納するステップ（Ｓ５０８）と、ＲＡＭからＩピクチャとＰピクチャとを抽出するステップ（Ｓ５１０）と、ＩピクチャとＰピクチャのデータとを不揮発性メモリに格納するステップ（Ｓ５１４）と、ＲＡＭからＢピクチャを抽出するステップ（Ｓ５１６）と、Ｂピクチャのデータを映像記録再生装置に出力するステップ（Ｓ５２０）とを含む。【選択図】        図５
2005277996.tif 000002
【特許請求の範囲】
【請求項１】
アナログの放送電波を受信するための受信手段と、
選局の指示の入力を受け付けるための入力手段と、
前記指示の入力に基づいて、前記放送電波から、前記選局が指示された放送電波を取得するための復調手段と、
取得された前記アナログの放送電波を、デジタル信号に変換するための変換手段と、
前記デジタル信号に基づいて、動画像を構成するための複数の画像データを生成する符号化手段と、
前記複数の画像データを、画面内符号化に基づいて符号化された第１の画像データと、時間軸の予測符号化に基づいて符号化された第２の画像データの一部とに分割するための分割手段と、
前記第１の画像データと少なくとも前記第２の画像データの一部とを記憶するための記憶手段と、
前記第２の画像データの他の一部を出力するための出力手段と、
画像を表示するための表示手段と、
前記記憶手段に記憶されている画像データに基づいて、前記表示手段に動画像を表示させるための表示制御手段とを含む、放送受信装置。
【請求項２】
前記第２の画像データの一部は、順方向予測に基づいて符号化されたデータであり、
前記第２の画像データの他の一部は、双方向予測に基づいて符号化されたデータである、請求項１に記載の放送受信装置。
【請求項３】
前記符号化手段は、ＭＰＥＧ（Moving Picture Experts Group）規格に基づいて、前記前記複数の画像データを生成し、
前記分割手段は、前記複数の画像データを、前記ＭＰＥＧ規格に基づくＩ（Intra-coded）ピクチャ情報と、Ｐ（Predictive-coded）ピクチャ情報と、Ｂ（Bidirectionally-coded）ピクチャ情報とに分割し、
前記記憶手段は、前記Ｉピクチャ情報と前記Ｐピクチャとを記憶し、
前記出力手段は、前記Ｂピクチャ情報を出力する、請求項１に記載の放送受信装置。
【請求項４】
動画像を構成するためのデータであり、画面内符号化に基づいて符号化された第１の画像データと、時間軸方向の予測符号化に基づいて符号化された第２の画像データとを有する放送電波を受信するための受信手段と、
選局の指示の入力を受け付けるための入力手段と、
前記指示の入力に基づいて、前記放送電波から、前記選局が指示された放送電波を取得するための復調手段と、
取得された前記放送電波に含まれるデータを、前記第１の画像データと前記第２の画像データの一部とに分割するための分割手段と、
前記第１の画像データと前記第２の画像データの一部とを記憶するための記憶手段と、
前記第２の画像データの他の一部を出力するための出力手段と、
画像を表示するための表示手段と、
前記記憶手段に記憶されている画像データに基づいて、前記表示手段に映像を表示させるための表示制御手段とを含む、放送受信装置。
【請求項５】
前記第２の画像データの一部は、前方向予測に基づいて符号化されたデータであり、
前記第２の画像データの他の一部は、双方向予測に基づいて符号化されたデータである、請求項４に記載の放送受信装置。
【請求項６】
前記動画像を構成するためのデータは、ＭＰＥＧ規格に基づいて符号化されたＩピクチャ情報と、Ｐピクチャ情報と、Ｂピクチャ情報とを含み、
前記記憶手段は、前記Ｉピクチャ情報と前記Ｐピクチャとを記憶し、
前記出力手段は、前記Ｂピクチャ情報を出力する、請求項４に記載の放送受信装置。
【請求項７】
前記受信手段は、地上デジタル放送波を受信し、
前記記憶手段は、前記地上デジタル放送波における１セグメントサービスに対応した番組情報と、１３セグメントサービスの構成の解釈のためのＳＩ（Service Information）情報とを記憶する、請求項４に記載の放送受信装置。
【請求項８】
前記放送受信装置は、各前記第１の画像データと各前記第２の画像データとの時間軸上における位置関係を表わすための位置情報を取得する取得手段をさらに含み、
前記記憶手段はさらに、前記位置情報を記憶し、
前記出力手段はさらに、前記位置情報を各前記第２の画像データに関連付けて出力する、請求項１〜７のいずれかに記載の放送受信装置。
【請求項９】
前記記憶手段は、前記放送受信装置を識別するための識別データをさらに記憶し、
前記放送受信装置は、前記位置情報に前記識別データを付加するための付加手段をさらに含む、請求項８に記載の放送受信装置。
【請求項１０】
前記放送受信装置は、映像を記録するための映像記録装置が前記出力手段を介して接続されているか否かを検出するための接続検出手段をさらに含み、
前記出力手段は、前記映像記録装置が接続されている場合に、前記第２の画像データの他の一部を出力する、請求項１〜７のいずれかに記載の放送受信装置。
【請求項１１】
前記記憶手段は、前記放送受信装置を識別するための識別データをさらに記憶し、
前記出力手段は、前記識別データと各前記第２の画像データとを関連付けて出力する、請求項１に記載の放送受信装置。
【請求項１２】
前記分割手段は、空間周波数に基づいて前記複数の画像データを分割し、
前記記憶手段は、前記空間周波数に関し予め定められた周波数以下の成分を有する画像データを記憶し、
前記出力手段は、前記予め定められた周波数以上の成分を有する画像データを出力する、請求項１に記載の放送受信装置。
【請求項１３】
映像を再生するためのデータの入力を受け付ける入力手段と、
前記データを記録するための記録手段とを備え、
前記入力手段は、時間軸方向の予測符号化に基づいて予め符号化された、動画像を構成するための第１の画像データの一部の入力を受け、
前記記録手段は、前記第１の画像データの一部を記録し、
前記入力手段は、前記第１の画面データの他の一部の入力と、前記動画像を構成するためのデータであり、画面内符号化に基づいて符号化された第２の画像データの入力と、前記第１の画像データと前記第２の画像データとの時間軸上における位置関係を表わすための位置情報の入力とをさらに受け、
前記映像記録再生装置は、
前記位置情報に基づいて、前記第１の画像データおよび前記第２の画像データを復号化して前記動画像を表示するための映像データを生成する復号化手段と、
前記映像データに基づいて、前記動画像を表示するための表示手段とをさらに備える、映像記録再生装置。
【請求項１４】
前記第１の画像データの一部は、双方向予測に基づいて符号化されたデータであり、
前記第１の画像データの他の一部は、順方向予測に基づいて符号化されたデータである、請求項１３に記載の映像記録再生装置。
【請求項１５】
前記記憶手段は、ＭＰＥＧ規格に基づいて予め符号化された、前記動画像を構成するためのＢピクチャ情報を記憶し、
前記入力手段は、前記ＭＰＥＧ規格に基づいて符号化されたＩピクチャ情報とＰピクチャ情報との入力を受け、
前記位置情報は、前記Ｉピクチャ情報と前記Ｐピクチャ情報と前記Ｂピクチャ情報との時間軸上における位置関係を表わすための配列情報を含み、
前記復号化手段は、前記配列情報に基づいて、前記Ｉピクチャ情報と前記Ｐピクチャ情報と前記Ｂピクチャ情報とを配列して、前記映像データを生成する、請求項１３に記載の映像記録再生装置。
【発明の詳細な説明】
【技術分野】
【０００１】
本発明は放送受信装置および映像再生装置に関し、特に、受信した動画像を構成する画像データを圧縮して保存する放送受信装置および圧縮された画像データを記録および再生する映像記録再生装置に関する。
【背景技術】
【０００２】
大容量のＨＤＤ（Hard Disk Drive）を搭載し、放送波が受信可能であり、番組を録画することができる受信機が普及しつつある。従来、この機能を有する受信機は、据え置き型のものが主流であったが、携帯可能な端末の一部も、上記の機能を備えつつある。一般的に、これらの端末は、アナログのテレビジョン信号のエンコード機能を備え、フラッシュメモリ、メモリカードその他の記録媒体に、符号化されたデータを記憶することができる。また、テレビジョン放送を受信できるＰＣ（Personal Computer）が普及しつつある。そのＰＣには、リアルタイムに番組の受信を可能にする機能に加えて、ＨＤＤに番組を録画する機能と再生する機能とを有するものもある。
【０００３】
これらの装置において、信号のエンコード機能は、たとえばＭＰＥＧ（Moving Picture Experts Group）規格に基づく符号化方式により実現される場合がある。この方式には、自然画像における空間周波数のエネルギー分布が低周波領域に偏っていることを利用した変換方式と、時間軸方向での画像の差分を取る動き補償が使用される。この方式によると、ＭＰＥＧにより符号化された画像データは、Ｉ（Intra-coded）ピクチャ、Ｐ（Predictive-coded）ピクチャ、およびＢ（Bidirectionally predictive-coded）ピクチャに分けられる。この場合、動画像を再生するためには、少なくともＩピクチャが必要である。
【０００４】
このようなテレビジョン放送の受信機能を有する携帯端末は、たとえば屋外での視聴目的に利用されることが想定される。さらに、この携帯端末は、屋内、特に家庭内、たとえばテレビジョン受信装置が設置されていない部屋において、使用される場合も想定される。たとえば、ユーザがＰＣを使用しつつ、テレビ放送を視聴する場合、この携帯端末は便利である。
【０００５】
ところで、２００３年１２月より、地上デジタル放送が開始された。さらに、１セグメントのみを利用した地上デジタル放送（いわゆる１セグ放送）の開始が計画されている。地上デジタル放送は、伝送変調方式として、ＯＦＤＭ（Orthogonal Frequency Division Multiplexing）を採用している。地上デジタル放送においては、セグメントと称される周波数帯域を１ブロックとして、最大１３セグメントが伝送路を構成する。２００３年１２月より開始された地上デジタル放送は、１３セグメントの帯域を利用するサービスである。上記の１セグ放送は、その中の１セグメントを使用するサービスである。１３セグメントのサービスを利用する場合、１セグ放送の帯域部分において、ＭＰＥＧ−ＴＳ（Transport Stream）において番組要素の構成情報を記載するＳＩ（Service Information）情報が埋め込まれている。そのため、１３セグメント放送と１セグ放送とが異なる番組により構成されていても、１セグ放送の帯域部分に相当するＭＰＥＧ−ＴＳ情報が必要となる。
【０００６】
なお、以上本発明についての従来技術を、出願人の知得した一般的技術情報に基づいて説明したが、出願人の記憶する範囲において、本出願前までに、先行技術文献情報として開示すべき情報を出願人は有していない。
【発明の開示】
【発明が解決しようとする課題】
【０００７】
ところで、従来、動画映像の方が、映像の中身を確認するという点で、静止画像よりも好まれている。ここで動画映像の表示に関し、一般に、携帯端末のモニタの画面サイズは、テレビジョン受信装置あるいはＰＣのモニタの画面サイズに比べて小さい。そのため、携帯端末の使用形態として、たとえば携帯端末に番組を保存し、携帯端末からＰＣその他の表示装置に映像を出力し、その映像を表示装置に再生させる形態が考えられる。
【０００８】
しかしながら、携帯端末に映像を保存する場合、携帯端末の画面サイズに応じて映像データを保存すると、再生時に、画像が粗くなるという問題がある。また、携帯端末のメモリの記憶容量は、ＰＣのＨＤＤの容量よりも少ないため、長時間の映像あるいは高画質の映像を大量に保存することができない。したがって、大画面の表示に対応した長時間の映像の再生のためのデータを記憶することはできない。さらに、一般にデジタルデータは、複製が容易であるため、番組がデジタル形式で保存可能である場合には、その番組が複製される恐れも生じる。
【０００９】
本発明は、上述の問題点を解決するためになされたものであって、その目的は、映像データの出力先において再生される映像の画質の劣化を抑制しつつ、視聴可能な映像データを保存することができる放送受信装置を提供することである。
【００１０】
本発明の他の目的は、受信した映像の複製を防止することができる映像信号を出力することができる放送受信装置を提供することである。
【００１１】
本発明の他の目的は、予め入力された映像データと、その映像データによる映像の再生時に入力される映像データとに基づいて、映像を再生することができる映像記録再生装置を提供することである。
【課題を解決するための手段】
【００１２】
上記の課題を解決するために、この発明のある局面に従うと、放送受信装置は、アナログの放送電波を受信するための受信手段と、選局の指示の入力を受け付けるための入力手段と、指示の入力に基づいて、放送電波から、選局が指示された放送電波を取得するための復調手段と、取得されたアナログの放送電波を、デジタル信号に変換するための変換手段と、デジタル信号に基づいて、動画像を構成するための複数の画像データを生成する符号化手段と、複数の画像データを、画面内符号化に基づいて符号化された第１の画像データと、時間軸の予測符号化に基づいて符号化された第２の画像データの一部とに分割するための分割手段と、第１の画像データと少なくとも第２の画像データの一部とを記憶するための記憶手段と、第２の画像データの他の一部を出力するための出力手段と、画像を表示するための表示手段と、記憶手段に記憶されている画像データに基づいて、表示手段に動画像を表示させるための表示制御手段とを含む。
【００１３】
上記の構成を有する放送受信装置によると、記憶手段は、動画像を構成するための第１の画像データと、第２の画像データの一部とを記憶する。第２の画像データの他の一部は、外部に出力される。第１の画像データは、画面内符号化に基づいて符号化された第１の画像データであるため、表示手段は、そのデータに基づいて動画像を再生することができる。また、第２の画像データは、一部しか記憶手段に格納されないため、記憶手段の記憶領域の使用量を抑制することができる。
【００１４】
好ましくは、第２の画像データの一部は、順方向予測に基づいて符号化されたデータである。第２の画像データの他の一部は、双方向予測に基づいて符号化されたデータである。
【００１５】
好ましくは、符号化手段は、ＭＰＥＧ規格に基づいて、複数の画像データを生成する。分割手段は、複数の画像データを、ＭＰＥＧ規格に基づくＩピクチャ情報と、Ｐピクチャ情報と、Ｂピクチャ情報とに分割する。記憶手段は、Ｉピクチャ情報とＰピクチャとを記憶する。出力手段は、Ｂピクチャ情報を出力する。
【００１６】
この発明の他の局面に従うと、放送受信装置は、動画像を構成するためのデータであり、画面内符号化に基づいて符号化された第１の画像データと、時間軸方向の予測符号化に基づいて符号化された第２の画像データとを有する放送電波を受信するための受信手段と、選局の指示の入力を受け付けるための入力手段と、指示の入力に基づいて、放送電波から、選局が指示された放送電波を取得するための復調手段と、取得された放送電波に含まれるデータを、第１の画像データと第２の画像データの一部とに分割するための分割手段と、第１の画像データと第２の画像データの一部とを記憶するための記憶手段と、第２の画像データの他の一部を出力するための出力手段と、画像を表示するための表示手段と、記憶手段に記憶されている画像データに基づいて、表示手段に映像を表示させるための表示制御手段とを含む。
【００１７】
上記の構成を有する放送受信装置によると、記憶手段は、動画像を構成するための第１の画像データと、第２の画像データの一部とを記憶する。第２の画像データの他の一部は、外部に出力される。第１の画像データは、画面内符号化に基づいて符号化された第１の画像データであるため、表示手段は、そのデータに基づいて動画像を再生することができる。また、第２の画像データは、一部しか記憶手段に格納されないため、記憶手段の記憶領域の使用量を抑制することができる。
【００１８】
好ましくは、第２の画像データの一部は、前方向予測に基づいて符号化されたデータである。第２の画像データの他の一部は、双方向予測に基づいて符号化されたデータである。
【００１９】
好ましくは、動画像を構成するためのデータは、ＭＰＥＧ規格に基づいて符号化されたＩピクチャ情報と、Ｐピクチャ情報と、Ｂピクチャ情報とを含む。記憶手段は、Ｉピクチャ情報とＰピクチャとを記憶する。出力手段は、Ｂピクチャ情報を出力する。
【００２０】
好ましくは、受信手段は、地上デジタル放送波を受信する。記憶手段は、地上デジタル放送波における１セグメントサービスに対応した番組情報と、１３セグメントサービスの構成の解釈のためのＳＩ情報とを記憶する。
【００２１】
好ましくは、放送受信装置は、各第１の画像データと各第２の画像データとの時間軸上における位置関係を表わすための位置情報を取得する取得手段をさらに含む。記憶手段はさらに、位置情報を記憶する。出力手段はさらに、位置情報を各第２の画像データに関連付けて出力する。
【００２２】
好ましくは、記憶手段は、放送受信装置を識別するための識別データをさらに記憶する。放送受信装置は、位置情報に識別データを付加するための付加手段をさらに含む。
【００２３】
好ましくは、放送受信装置は、映像を記録するための映像記録装置が出力手段を介して接続されているか否かを検出するための接続検出手段をさらに含む。出力手段は、映像記録装置が接続されている場合に、第２の画像データの他の一部を出力する。
【００２４】
好ましくは、記憶手段は、放送受信装置を識別するための識別データをさらに記憶する。出力手段は、識別データと各第２の画像データとを関連付けて出力する。
【００２５】
好ましくは、分割手段は、空間周波数に基づいて複数の画像データを分割する。記憶手段は、空間周波数に関し予め定められた周波数以下の成分を有する画像データを記憶する。出力手段は、予め定められた周波数以上の成分を有する画像データを出力する。
【００２６】
この発明の他の局面に従うと、映像記録再生装置は、映像を再生するためのデータの入力を受け付ける入力手段と、データを記録するための記録手段とを備える。入力手段は、時間軸方向の予測符号化に基づいて予め符号化された、動画像を構成するための第１の画像データの一部の入力を受ける。記録手段は、第１の画像データの一部を記録する。入力手段は、第１の画面データの他の一部の入力と、動画像を構成するためのデータであり、画面内符号化に基づいて符号化された第２の画像データの入力と、第１の画像データと第２の画像データとの時間軸上における位置関係を表わすための位置情報の入力とをさらに受ける。映像記録再生装置は、位置情報に基づいて、第１の画像データおよび第２の画像データを復号化して動画像を表示するための映像データを生成する復号化手段と、映像データに基づいて、動画像を表示するための表示手段とをさらに備える。
【００２７】
上記の構成を有する映像記録再生装置によると、第１の画像データの一部だけでは、動画像が再生されない。また、第１の画像データの他の一部と第２の画像データとが入力されると、映像記録再生装置は、第１の画像データと第２の画像データとに基づいて、動画像を再生することができる。これにより、動画像を表示するためのデータの容易な複製を防止することができる。
【００２８】
好ましくは、第１の画像データの一部は、双方向予測に基づいて符号化されたデータである。第１の画像データの他の一部は、順方向予測に基づいて符号化されたデータである。
【００２９】
好ましくは、記憶手段は、ＭＰＥＧ規格に基づいて予め符号化された、動画像を構成するためのＢピクチャ情報を記憶する。入力手段は、ＭＰＥＧ規格に基づいて符号化されたＩピクチャ情報とＰピクチャ情報との入力を受ける。位置情報は、Ｉピクチャ情報とＰピクチャ情報とＢピクチャ情報との時間軸上における位置関係を表わすための配列情報を含む。復号化手段は、配列情報に基づいて、Ｉピクチャ情報とＰピクチャ情報とＢピクチャ情報とを配列して、映像データを生成する。
【００３０】
この発明のさらに他の局面に従うと、プログラムは、放送受信装置に接続されるコンピュータを、映像記録再生装置として機能させる。放送受信装置は、動画像を表示するための映像信号を受信して、映像信号から動画像を構成するための複数の画像データを生成する符号化手段と、複数の画像データを、時間軸の予測符号化に基づいて符号化された第１の画像データの一部と、画面内符号化に基づいて符号化された第２の画像データとに分割するための分割手段と、第１の画像データの他の一部と第２の画像データとを記憶するための記憶手段と、第１の画像データの他の一部を出力するための出力手段とを備える。このプログラムはコンピュータに、映像を再生するためのデータの入力を受け付ける入力ステップと、データを記録する記録ステップとを実行させる。入力ステップは、時間軸方向の予測符号化に基づいて予め符号化された、動画像を構成するための第１の画像データの一部の入力を受ける。記録ステップは、第１の画像データの一部を記録する。入力ステップは、第１の画面データの他の一部の入力と、動画像を構成するためのデータであり、画面内符号化に基づいて符号化された第２の画像データの入力と、第１の画像データと第２の画像データとの時間軸上における位置関係を表わすための位置情報の入力とをさらに受ける。このプログラムはコンピュータに、位置情報に基づいて、第１の画像データおよび第２の画像データを復号化して動画像を表示するための映像データを生成する復号化ステップと、映像データに基づいて、動画像を表示する表示ステップとをさらに実行させる。
【００３１】
上記のプログラムがコンピュータによって実行されると、そのコンピュータは、第１の画像データと第２の画像データとを合成して、動画像を表示する映像記録再生装置として作動することができる。このようにすると、コンピュータは、第１の画像データの一部を記憶していても、第１の画像データの他の一部と第２の画像データとが入力されるまで、動画像を再生することができない。これにより、動画像を表示するためのデータの容易な複製を防止することができる。
【発明の効果】
【００３２】
本発明に係る放送受信装置によると、動画像を表示するためのデータを保存する場合、装置自身が有する表示手段の表示領域の大きさに応じた圧縮率に基づく画像データを生成する。この画像データは、受信した動画像を表示するデータの一部である。放送受信装置は、さらに、外部の装置が有する表示手段の表示領域の大きさに応じた圧縮率に基づく画像データを生成して出力することができる。このデータは、放送受信装置に記憶されないため、放送受信装置のデータ記憶領域の使用を抑制することができる。
【００３３】
本発明に係る放送受信装置によると、受信した動画像から符号化して生成された第２の画像データの一部を外部に出力し、第１の画像データを内部に記憶する。ここで、第２の画像データは、時間軸の予測符号化に基づいて符号化されているため、第２の画像データだけでは、受信した動画像として再生することができない。したがって、動画像を表示するためのデータが容易に複製されることを防止することができる。
【００３４】
本発明に係る映像記録再生装置によると、予め入力され記憶されている画像データと、その画像データの元のデータから生成され、再生時に入力される画像データとを合成することにより、動画像を再生する。このようにすると、映像記録再生装置は、その表示手段の表示領域に応じた動画像を再生することができる。
【発明を実施するための最良の形態】
【００３５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３６】
図１を参照して、本発明の実施の形態に係る放送受信端末１００について説明する。図１は、放送受信端末１００の機能的構成を表わすブロック図である。放送受信端末１００は、たとえば録画機能を有する携帯型テレビ、あるいはテレビアンテナを備えた携帯電話等であるが、これらに限られず、テレビ放送の受信機能とデータメモリとを備えるものであればよい。
【００３７】
放送受信端末１００は、アナログの放送電波を受信するためのアンテナ１０２と、アンテナ１０２が受信した放送電波から、指定された放送局を選局するためのチューナ１０３と、チューナ１０３から出力される信号を復調して出力するための復調部１０４と、入力されるアナログ信号をデジタル信号に変換するためのＡ／Ｄ（Analog to Digital）変換部１０６と、入力されるデジタル信号を符号化し、さらに圧縮して出力するための符号化部１０８と、予め定められた基準に基づいて圧縮されたデジタルデータを分割するための符号分割部１１６と、符号分割部１１６により生成された各データの位置関係を表わすためのピクチャ順序表データを記憶するためのピクチャ順序表記憶部１１２と、デジタルデータを復号するための復号化部１１８と、復号された映像データに基づいて画像を表示するための表示部１２０と、放送受信装置１００において使用されるプログラムあるいはデータを予め格納したり、更新されたデータを記憶するための不揮発性メモリ１１４と、放送受信端末１００と外部の装置（図示しない）とのインターフェイスをとり、データを出力するためのインターフェイス部１１２と、放送受信端末１００における動作を制御するための制御部１１０とを含む。
【００３８】
ピクチャ順序表記億部１１２は、たとえばフラッシュメモリであるがその他のメモリであってもよい。不揮発メモリ１１４は、たとえばフラッシュメモリあるいはＨＤＤ装置であるが、その他のメモリであってもよい。また、ピクチャ順序表記憶部１１２と不揮発メモリ１１４とは、同一のメモリであってもよい。すなわち、ピクチャ順序表データが格納される領域と、符号化された画像データが格納される領域とが区分されて管理可能なメモリであればよい。
【００３９】
符号分割部１１６は、複数の画像データを、画面内符号化に基づいて符号化された第１の画像データと、時間軸の予測符号化に基づいて符号化された第２のの画像データの一部とに分割する。第２の画像データの一部は、順方向予測に基づいて符号化されたデータである。第２の画像データの他の一部は、双方向予測に基づいて符号化されたデータである。ここで、順方向予測とは、時間的に順方向にフレーム動きを予測するものをいう。順方向予測に基づく画像データには、たとえばＭＰＥＧ符号化におけるＰピクチャがある。この場合、Ｐピクチャは、他のＩピクチャやＰピクチャから生成される。
【００４０】
また、双方向予測とは、前後のフレームから時間的に双方向に予測するものをいう。双方向予測に基づく画像データには、Ｂピクチャがある。この場合、Ｂピクチャは、画像データの時間軸上の位置に関し前後にあるＩピクチャとＰピクチャとにより予測される。
【００４１】
図２を参照して、本実施の形態に係る放送受信端末１００におけるデータ構造について説明する。図２は、ＭＰＥＧデータを分割する場合に生成されるピクチャ順序表データの一態様を表わす図である。このデータは、たとえば放送受信端末１００のピクチャ順序表記億部１１２に格納されている。このピクチャ順序表は、ＧＯＰ（Group of Pictures）層の各々について生成される。ここで、ＧＯＰとは、Ｉピクチャから次のＩピクチャまでの画面の集合をいう。
【００４２】
符号化部１０８から出力されるデータは、たとえばＩピクチャ、Ｂピクチャ、Ｐピクチャを含む。たとえば、Ｎｏ.１に示したＩピクチャには、順序表データとして、「１」が関連付けられる。ここで、「１」は、放送受信端末１００に格納されるデータであることを示す。また、Ｎｏ.２に示したＢピクチャには、分割表データとして、「２」が関連付けられる。ここで、「２」は、放送受信端末１００の外部に出力されるデータであることを示す。この出力先は、後述するように、たとえば映像の再生機能を有するＰＣである。さらに、Ｎｏ．４に示したＰピクチャには、分割表データとして、「１」が関連付けられる。また、各Ｂピクチャには、それぞれのピクチャを識別するための識別情報が関連付けられている。この識別情報により、Ｂピクチャを格納する外部の装置は、後述する各ピクチャの合成による映像の再生時に、ＩピクチャおよびＰピクチャと、各Ｂピクチャとを、合成することができる。
【００４３】
たとえば、ＰＣは、放送受信端末１００から受信するピクチャ順序表に含まれる各Ｂピクチャの識別情報を参照し、ＰＣに保存されているＢピクチャが有する識別情報により特定される位置に、ＩピクチャおよびＰピクチャを挿入することができる。これにより、動画像を構成する複数の画像データを分割しても、ピクチャ順序表データおよび各ピクチャに関連付けられる識別情報により、複数の画像データを合成することができる。
【００４４】
このようにして、本実施の形態に係る放送受信端末１００において、ＩピクチャとＰピクチャとが外部に出力されることなく、放送受信端末１００の不揮発メモリ１１４に格納される。Ｂピクチャのみが放送受信端末１００の外部に出力される。
【００４５】
なお、放送受信端末１００に保存されるデータの種類の構成は、上記の態様に限られない。少なくとも、Ｉピクチャが放送受信端末１００に保存されればよい。これにより、放送受信端末１００は、Ｉピクチャの情報に基づいて、映像を再生することができる。一方、Ｉピクチャの情報を有さない外部の装置（たとえばＰＣ）は、ＢピクチャあるいはＰピクチャの情報だけでは、映像を再生することができなくなる。このようにすると、放送受信端末１００が、外部に記憶されている情報を管理することができる。
【００４６】
さらに、図２に示したデータは、放送受信端末１００から、後述する映像記録再生装置に出力される。映像記録再生装置は、このデータを参照しつつ、内部に記憶しているデータと、外部から入力されるデータとの対応を確認しつつ、各データを合成して、本来の映像データを生成する。この処理については、後述する。
【００４７】
なお、上記の説明では、ピクチャ順序表は、ＧＯＰの各々について生成されるとしたが、このようにして生成されるものに限られない。たとえば、ピクチャ順序表における各ピクチャの順序は、所定時間のみの順序であってもよい。これにより、放送受信端末におけるデータ量をさらに抑制することができる。
【００４８】
また、図２に示したＢピクチャに関して、それぞれのＢピクチャを識別するための情報が関連付けられる場合について説明したが、動画像を復元するためにＢピクチャに必要な情報のもち方は、上記の方法に限られない。すくなくとも、各ＢピクチャがどのＧＯＰに属するかを特定するための情報が、各Ｂピクチャに関連付けられていればよい。
【００４９】
図３を参照して、本実施の形態に係る放送受信端末１００に接続される映像記録再生装置３００について説明する。図３は、映像記録再生装置３００のハードウェア構成を表わすブロック図である。
【００５０】
映像記録再生装置３００は、たとえばＰＣである。映像記録再生装置３００は、相互にデータバスで接続されたＣＰＵ（Central Processing Unit）３１０と、外部から指示の入力を受付けるためのマウス３２０およびキーボード３３０と、ＣＰＵ３１０により処理されるデータを一時的に格納するためのメモリ３４０と、データの書込および読出が可能な不揮発性メモリ３５０と、ＦＤ（Flexible Disk）からデータを読出したりＦＤにデータを書込んだりするためのＦＤ駆動装置３６０と、ＣＤ−ＲＯＭ（Compact Disk-Read Only Memory）駆動装置３７０と、入力される信号に基づいて映像を表示するためのモニタ３８０と、外部とデータを通信するための通信ＩＦ（Interface）３９０とを含む。ＦＤ駆動装置３６０には、ＦＤ３６２が装着される。ＣＤ−ＲＯＭ駆動装置３７０には、ＣＤ−ＲＯＭ３７２が装着される。
【００５１】
映像記録再生装置３００は、通信ＩＦ３９０を介して入力される画像データ（たとえばＰピクチャ情報およびＢピクチャ情報）を固定ディスク３５０に格納する。映像記録再生装置３００は、そのデータの格納とは別に、Ｉピクチャ情報の入力を受け、その情報と固定ディスク３５０に格納されている画像データと、各情報の位置関係を表わすピクチャ順序表データとに基づいて、映像信号を復号化する。映像記録再生装置３００は、復号化した映像信号をメモリ３４０の所定の領域に書き込む。モニタ３８０が書き込まれたデータを読み込むと、その映像信号に対応する映像が表示される。この処理の制御構造については、図７および図８において詳述する。
【００５２】
図４を参照して、本実施の形態に係る放送受信端末１００におけるデータ処理について説明する。図１に示した符号化部１０８から出力されるＭＰＥＧデータは、ＳＨ（Sequence Header）層と、ＧＯＰ層とを含む。ＧＯＰ層は、前述したようにＩピクチャとＢピクチャとＰピクチャとを含む。このような構成を有するデータが符号分割部１１６に入力されると、符号分割部１１６は、予め定められた基準に基づいて、各ピクチャ情報を分割する。この分割により生成されたデータの位置関係を表わす情報は、たとえば図２に示したピクチャ順序表データである。したがって、分割により生成されたデータは、ピクチャ順序表データに基づいて、元の映像データに復元することができる。
【００５３】
図５を参照して、本実施の形態に係る放送受信端末１００の制御構造について説明する。図５は、放送受信端末１００の制御部１１０が実行する録画処理の手順を表わすフローチャートである。
【００５４】
ステップＳ５０２にて、放送受信端末１００の制御部１１０は、録画の指示の入力を検知する。ステップＳ５０４にて、制御部１１０は、映像記録再生装置３００が接続されているか否かを判断する。映像記録再生装置３００が接続されている場合には（ステップＳ５０４にてＹＥＳ）、処理はステップＳ５０６に移される。そうでない場合には（ステップＳ５０４にてＮＯ）、処理はステップＳ５３０に移される。
【００５５】
ステップＳ５０６にて、制御部１１０は、符号化部１０８に、受信信号を符号化させ、さらに圧縮化させて、画像データを生成させる。ステップＳ５０８にて、制御部１１０は、生成された画像データをＲＡＭ（Random Access Memory）１２４の所定の領域に格納する。
【００５６】
ステップＳ５１０にて、制御部１１０は、格納されているデータからＩピクチャとＰピクチャとを抽出する。ステップＳ５１４にて、制御部１１０は、所定のヘッダ情報を付加して、抽出したＩピクチャとＰピクチャとを不揮発メモリ１１４の所定のデータ領域に格納する。このときのデータの配列状態は、たとえば図４に示した配列４１０である。
【００５７】
ステップＳ５１６にて、制御部１１０は、ＲＡＭ１２４に格納されているデータから、Ｂピクチャを抽出する。ステップＳ５２０にて、制御部１１０は、抽出したＢピクチャの信号をインターフェイス１２２を介して外部に出力する。このときのデータの配列状態は、たとえば図４に示した配列４２０である。
【００５８】
ステップＳ５３０にて、制御部１１０は、予め定められた録画条件で録画処理を実行する。この処理は、映像記録再生装置が放送受信端末１００に接続されていない場合に実行される。したがって、放送受信端末１００は、内蔵メモリの容量の制約を考慮して、表示部１２０の表示領域に応じた圧縮率により画像データ量を最小限にする処理を実行して、画像データを記録する。
【００５９】
図６を参照して、本実施の形態に係る放送受信端末１００の制御構造についてさらに説明する。図６は、制御部１１０が実行する再生処理の手順を表わすフローチャートである。この処理は、たとえば使用者が放送受信端末１００を映像記録再生装置３００に接続して、再生処理の実行のためのボタン（図示しない）を押下した場合に開始される。
【００６０】
ステップＳ６０２にて、制御部１１０は、外部から入力される指示に基づいて映像の選択を検知する。この検知は、たとえば表示部１２０に表示されるメニューから、使用者が特定の映像を選択して、選択の確定を入力するためのボタン（図示しない）を押下したときに実行される。
【００６１】
ステップＳ６０４にて、制御部１１０は、再生指示の入力を検知する。ステップＳ６０６にて、制御部１１０は、映像記録再生装置が放送受信端末１００に接続されているか否かを判断する。この判断は、たとえば所定の信号がインターフェイス部１２２を介して検出されたか否かに基づいて行なわれる。映像記録再生装置が放送受信端末１００に接続されている場合には（ステップＳ６０６にてＹＥＳ）、処理はステップＳ６０８に移される。そうでない場合には（ステップＳ６０６にてＮＯ）、処理はステップＳ６３０に移される。
【００６２】
ステップＳ６０８にて、制御部１１０は、不揮発メモリ１１４から放送受信端末１００を識別するための端末ＩＤ（Identification）を読み出す。この端末ＩＤは、たとえば製造番号その他の各法送受信端末に固有な情報である。ステップＳ６１０にて、制御部１１０は、選択された映像データを識別するためのＩＤと放送受信端末１００の端末ＩＤとに基づいて、指令信号を生成する。映像データを識別するためのＩＤは、たとえばファイル名称、ファイル作成時刻等を含むが、その他のデータから構成されてもよい。
【００６３】
ステップＳ６１２にて、制御部１１０は、生成した指令信号をインターフェイス部１２２を介して、映像記録再生装置３００に送信する。ステップＳ６１４にて、制御部１１０は、映像記録再生装置３００に、ピクチャ順序表記憶部１１２から読み出したピクチャ順序表データのファイルを送信する。ステップＳ６１６にて、制御部１１０は、不揮発メモリ１１４から、ＩピクチャとＰピクチャとを読み出す。ステップＳ６１８にて、制御部１１０は、映像記録再生装置３００に、読み出したＩピクチャとＰピクチャとの画像データを送信する。
【００６４】
ステップＳ６２０にて、制御部１１０は、映像の再生を終了するか否かを判断する。再生を終了すると判断すると（ステップＳ６２０にてＹＥＳ）、処理は終了する。そうでない場合には（ステップＳ６２０にてＮＯ）、処理は、ステップＳ６１６に戻され、画像データ（すなわち、ＩピクチャとＰピクチャ）の送信処理が継続される。
【００６５】
ステップＳ６３０にて、制御部１１０は、予め定められた映像データの再生処理を実行する。この処理は、映像記録再生装置３００が放送受信端末１００に接続されていない場合に実行されるため、分割された画像データ、すなわち、ＩピクチャおよびＰピクチャのみで実行される。
【００６６】
図７を参照して、放送受信端末１００に接続される映像記録再生装置の制御構造について説明する。図７は、映像記録再生装置３００のＣＰＵ３１０が実行する録画処理の手順を表わすフローチャートである。この処理は、放送受信端末１００が映像記録再生装置３００に接続され、映像記録再生装置３００の映像記録機能が、たとえば待機状態である場合に実行される。
【００６７】
ステップＳ７０２にて、映像記録再生装置３００のＣＰＵ３１０は、通信ＩＦ３９０を介して放送受信端末１００から録画指示を受信する。ステップＳ７０４にて、ＣＰＵ３１０は、通信ＩＦ３９０を介してピクチャ順序表データ（たとえば図２）を受信する。ステップＳ７０６にて、ＣＰＵ３１０は、メモリ３４０の所定の領域に、受信したピクチャ順序表データを格納する。
【００６８】
ステップＳ７０８にて、ＣＰＵ３１０は、マウス３２０あるいはキーボード３３０を介して入力される指示に基づいて、録画を終了するか否かを判断する。録画を終了すると判断すると（ステップＳ７０８にてＹＥＳ）、処理は、ステップＳ７１０に移される。そうでない場合には（ステップＳ７０８にてＮＯ）、処理はステップＳ７１２に移される。
【００６９】
ステップＳ７１０にて、ＣＰＵ３１０は、録画を終了するための処理を実行する。これにより、外部から映像記録再生装置３００に映像データが入力されても、映像記録再生装置３００は、映像データを固定ディスク３３０に書き込まない。
【００７０】
ステップＳ７１２にて、ＣＰＵ３１０は、通信ＩＦ３９０を介して入力されるＢピクチャのデータを固定ディスク３５０に格納する。その後、処理はステップＳ７０８に戻される。
【００７１】
図８を参照して、放送受信端末１００に接続される映像記録再生装置３００の制御構造について、さらに説明する。図８は、映像記録再生装置３００のＣＰＵ３１０が実行する再生処理の手順を表わすフローチャートである。この処理は、放送受信端末１００が映像記録再生装置３００に接続され、映像記録再生装置３００の映像再生機能が、たとえば待機状態である場合に実行される。
【００７２】
ステップＳ８０２にて、ＣＰＵ３１０は、通信ＩＦ３９０を介して放送受信端末１００から指令信号を受信したことを検知する。ステップＳ８０４にて、ＣＰＵ３１０は、メモリ３４０の所定データ領域から、順序表ファイルデータを読込む。ステップＳ８０６にて、ＣＰＵ３１０は、外部から再生処理の終了指示が入力されたか否かを判断する。終了指示が入力されたと判断すると（ステップＳ８０６にてＹＥＳ）、処理は終了する。そうでない場合には（ステップＳ８０６にてＮＯ）、処理はステップＳ８０８に移される。
【００７３】
ステップＳ８０８にて、ＣＰＵ３１０は、通信ＩＦ３９０を介して放送受信端末１００からＩピクチャとＰピクチャとを受信する。このデータは、メモリ３４０に一時的に格納される。ステップＳ８１０にて、ＣＰＵ３１０は、Ｂピクチャを放送受信端末１００から受信したデータに挿入するか否かを判断する。この判断は、たとえば順序表ファイルデータに基づいて、ＩピクチャとＰピクチャとにより定まる位置がそのＢピクチャが挿入されるべき位置であるか否かに基づいて行なわれる。Ｂピクチャを挿入すると判断すると（ステップＳ８１０にてＹＥＳ）、処理はステップＳ８１２に移される。そうでない場合には（ステップＳ８１０にてＮＯ）、処理はステップＳ８１６に移される。
【００７４】
ステップＳ８１２にて、ＣＰＵ３１０は、固定ディスク３５０から読み出したＢピクチャを、放送受信端末１００から受信したＩピクチャおよびＰピクチャの所定の位置に挿入する。ステップＳ８１４にて、ＣＰＵ３１０は、次に挿入すべきＢピクチャを読み込む。
【００７５】
ステップＳ８１６にて、ＣＰＵ３１０は、メモリ３４０に一時的に格納されているＩピクチャとＰピクチャと、さらに既にＢピクチャが挿入されている場合には、そのＢピクチャとを復号化部（図示しない）に出力する。なお、この復号化部は、たとえば復号化回路のようなハードウェアにより構成されてもよいし、ＣＰＵ３１０に所定の復号化処理プログラムを実行させることにより、ＣＰＵ３１０に実行させてもよい。
【００７６】
ステップＳ８１８にて、ＣＰＵ３１０は、そのデータをＭＰＥＧ復号化する。ステップＳ８２０にて、ＣＰＵ３１０は、復号されたデータをメモリ３４０の所定の領域、すなわちモニタ３８０に映像を表示させるデータを格納するためのデータ領域に書き込む。その結果、モニタ３８０は、書き込まれたデータに基づいて映像を表示する。これにより、映像記録再生装置３００は、放送受信端末１００から受信したデータと、映像記録再生装置３００に予め格納されているデータとに基づいて映像を表示することができる。
【００７７】
以上のような構造およびフローチャートに基づく、本実施の形態に係る放送受信装置１００と映像記録再生装置３００との動作について説明する。
【００７８】
［映像録画処理］
ユーザが、ケーブル（図示しない）を介して、放送受信端末１００と映像記録再生装置３００とを接続する。ユーザが放送電波の受信チャネルを設定して放送受信端末１００の録画ボタン（図示しない）を押下すると、放送受信端末１００は、その押下に基づいて録画の指示の入力を検知する（ステップＳ５０２）。映像記録装置３００が放送受信端末１００に接続されているため（ステップＳ５０４にてＹＥＳ）、放送受信端末１００が受信する放送電波は順次符号化され、画像データが生成される（ステップＳ５０６）。画像データのうちＩピクチャとＰピクチャとが抽出されると（ステップＳ５１０）、これらのデータは不揮発メモリ１１４に逐次格納される（ステップＳ５１４）。さらにＢピクチャが画像データから抽出されると（ステップＳ５１６）、そのデータはインターフェイス部１２２を介して映像記録再生装置３００に出力される（ステップＳ５２０）。
【００７９】
映像記録再生装置３００が放送受信端末１００からピクチャ順序表データを受信すると（ステップＳ７０４）、そのデータはメモリ３４０に一時的に格納される（ステップＳ７０６）。録画処理の終了が指示されない限り（ステップＳ７０８にてＮＯ）、放送受信端末１００によって出力された拡張（Ｂ）ピクチャは、固定ディスク３５０に記録される（ステップＳ７１２）。その後、ユーザが録画の終了を指示すると（ステップＳ７０８にてＹＥＳ）、映像データの記録処理は終了する（ステップＳ７１０）。
【００８０】
［映像再生処理］
ユーザが放送受信端末１００に記録済の映像の一覧を表示させる。ユーザが特定の映像を選択して、操作ボタン（図示しない）を押下すると、その選択が検知される（ステップＳ６０２）。ユーザが再生指示をさらに入力すると（ステップＳ６０４）、映像記録再生装置３００が接続されている場合には（ステップＳ６０６にてＹＥＳ）、不揮発性メモリ１１４から放送受信端末１００の端末ＩＤが読み出される（ステップＳ６０８）。映像記録再生装置３００に再生を指示するための指令信号が、端末ＩＤと、ユーザが選択した映像を特定するためのＩＤとに基づいて生成される（ステップＳ６１０）。その信号は、インターフェイス部１２２を介して映像記録再生装置３００に出力される（ステップＳ６１２）。さらに、放送受信端末１００は、映像記録再生装置３００にピクチャ順序表ファイルを送信する（ステップＳ６１４）。放送受信端末１００は、不揮発メモリ１１４からＩピクチャとＰピクチャとを読み出して（ステップＳ６１６）、映像記録再生装置３００に送信する（ステップＳ６１８）。
【００８１】
映像記録再生装置３００が指令信号を受信すると（ステップＳ８０２）、順序表ファイルデータがメモリ３４０から読み出される（ステップＳ８０４）。ユーザが再生の終了を指示しない場合には（ステップＳ８０６にてＮＯ）、映像記録再生装置３００は、放送受信端末１００から出力されるＩピクチャとＰピクチャとを受信し続ける（ステップＳ８０８）。放送受信端末１００から受信した指令信号が正しい情報を含んでいる場合には、順序表ファイルデータとＩピクチャおよびＰピクチャとに基づいて、Ｂピクチャが所定の位置に追加される（ステップＳ８１２）。このＢピクチャの追加処理が継続され、さらに復号化されると（ステップＳ８１８）、映像記録再生装置３００のモニタ３８０は、所定の映像を表示し始める（ステップＳ８２０）。
【００８２】
以上のようにして、本実施の形態に係る放送受信端末１００によると、大容量のメモリを有する映像記録再生装置３００が接続されている場合において、受信した放送電波に基づいて所定のデジタルデータを分割して一部のデータを外部に接続されている映像記録再生装置３００に格納させる。また、放送受信端末１００は、分割後のデジタルデータのうち少なくともそのデータのみで復号化することができるデータを内部に格納する。このようにすると、放送受信端末１００は、ユーザが少なくとも録画済のデータを認識できるデータを表示部１２０に表示することができる。
【００８３】
一方、映像記録再生装置３００は、放送受信端末１００から受信したデータのみでは、そのデータを復号して映像を再生することができない。この再生には、放送受信端末１００に格納されているデータ（たとえばＩピクチャおよびＰピクチャ）を必要とする。このようにすると、データの記憶容量が小さい放送受信端末１００においてユーザにとって必要最小限のデータを記録しつつ、そのデータに基づいて元の映像が不当に再生されないように一部のデータを外部に記録することができる。
【００８４】
なお、本実施の形態において、放送受信端末１００に格納される画像データは、ＭＰＧＥ符号化により生成されるＩピクチャとＰピクチャとしたが、このような態様に限られない。すなわち、放送受信端末１００は、少なくともＩピクチャを格納することができればよい。これにより、放送受信端末１００は、自己が記録するデータに基づいて映像を再生することができる。一方、映像記録再生装置３００は、Ｉピクチャを受信するまで、他のデータ、たとえばＰピクチャおよびＢピクチャを復号化することができないため、映像を再生することができない。
【００８５】
また、本実施の形態において、映像信号を分割する態様としてＭＰＥＧ規格に基づく符号化が使用されたが、他の態様により映像信号が複数の画像データに分割されてもよい。たとえば空間周波数に基づいて、所定の低周波成分を有する画像データと高周波成分を有する画像データに分割する態様であってもよい。この場合、低周波成分を有する画像データを放送受信端末１００に格納することにより、放送受信端末１００は、ユーザが認識可能な映像を少なくとも再生することができる。
【００８６】
＜変形例＞
以下、本実施の形態の変形例について説明する。本変形例に係る放送受信端末９００は、デジタルの放送電波を受信する機能を有する点で、前述の放送受信端末１００と異なる。すなわち、この放送電波は既に符号化されているため、放送受信端末９００は、符号化済みのデータを所定の基準に基づいて分割し、一部を放送受信端末９００に格納し、他を外部に接続された映像記録再生装置に出力する。
【００８７】
図９を参照して、本変形例に係る放送受信端末９００の構成について説明する。図９は、放送受信端末９００のハードウェア構成を表わすブロック図である。なお、図１に示した構成と同じ構成には同一の符号を付してある。それらの機能および作用も同じである。したがって、それらについての説明は、ここでは繰り返さない。
【００８８】
図９に示すように、放送受信端末９００は、図１に示したＡ／Ｄ変換部１０６と符号化部１０８と符号分割部１１６とに代えて、１つの入力信号を複数の信号に分配して出力するためのＴＳ−ＤＥＭＵＸ（Transport Stream - DEMUlti pleXer）９１６を含む。復調部１０４により周波数が選択され復調された信号は、ＴＳ−ＤＥＭＵＸ９１６に入力される。ＴＳ−ＤＥＭＵＸ９１６は、入力信号をデコードし、１セグメント放送番組を再生するためのＴＳパケット情報と、１３セグメントに対応するＴＳデータの中で１３セグメント番組の構成を表わすＰＡＴ、ＰＭＴの情報とを復号する。ＴＳパケット情報と、ＰＡＴ（Program Association Table）、ＰＭＴ（Program Map Table）の各情報は、不揮発メモリ１１４に格納される。ここで、ＰＭＴとは、あるサービスに含まれる画像や音声などのパケット識別子ＰＩＤ（Packet ID）を格納したものである。また、ＰＡＴとは、あるＴＳ内で行われているサービスの一覧を、各サービスを示すＰＭＴのＰＩＤ一覧で格納したものをいう。その他の情報は、インターフェース１２２を介して、放送受信端末９００に接続される映像記録再生装置に出力される。
【００８９】
このようにすると、映像記録再生装置が記録済みの画像データに基づいて動画像を再生する場合には、ＰＭＴあるいはＰＡＴなどの情報が必要になる。したがって、本変形例に係る放送受信端末９００は、後述する映像記録再生装置に接続されて使用されることが不可欠である。
【００９０】
次に、図１０を参照して、本変形例に係る映像記録再生装置１０００について説明する。図１０は、映像記録再生装置１０００のハードウェア構成を表わすブロック図である。
【００９１】
映像記録再生装置１０００は、外部とのデータ通信を行なうためのインターフェース１０２２と、各部の動作を制御するための制御部１０１０と、ＴＳ合成部１００６と、ＴＳ−ＤＥＭＵＸ１００８と、ＲＡＭ１０２４と、不揮発メモリ１０１４と、ＭＰＥＧ復号部１０１８と、表示部１０２０とを含む。
【００９２】
放送受信端末９００が出力する画像信号は、インターフェース１０２２を介して入力される。また、放送受信端末９００に記憶されているＰＡＴ、ＰＭＴなどの動画像の再生のために必要な情報も入力される。不揮発メモリ１０１４は、入力された画像データを記憶する。この画像データは、放送受信端末９００が映像の録画時に出力される基本階層に基づく階層のデータである。ＴＳ合成部１００６は、ＰＡＴ、ＰＭＴなどの情報に基づいて、各画像データを合成して出力する。ＴＳ−ＤＥＭＵＸ１００８は、所定の信号に分配して出力する。ＭＰＥＧ復号部１０１８は、入力される信号をＭＰＥＧ復号して、表示部１０２０に出力する。その結果、表示部１０２０は、不揮発メモリ１０１４に予め記憶されていたデータと、インターフェース１０２２を介してさらに入力されたピクチャ順序表データと、画像データとに基づいて復元される映像を表示することができる。
【００９３】
図１１を参照して、地上デジタル放送における伝送路の構成について説明する。図１１は、地上デジタルテレビジョン放送において使用される１３のセグメントの概念を説明するための図である。図１１に示すように、１つの伝送路は１３のセグメントを含む。１セグメントサービスは、特定のセグメントを使用して提供される。本実施の形態に係る放送受信端末９００は、そのセグメントにおいて提供されるサービスに対応する番組情報、あるいは伝送される動画像を復元するためのＳＩ情報を不揮発性メモリ１１４に格納する。
【００９４】
この場合、映像記録再生装置１０００は、動画像の再生時まで、上記のセグメントサービスに対応したデータを有していない。したがって、放送受信端末９００を映像記録再生装置１０００に接続して、そのデータが映像記録再生装置１０００に取り込まれるまで、映像記録再生装置１０００は、その動画像を放送受信端末９００が受信した態様で再生することができない。これにより、デジタルデータの容易な複製を防止することができる。
【００９５】
以上のようにして、本変形例に係る放送受信端末９００によると、デジタル信号を受信した場合に、所定の基準に基づいて信号が分配される。その信号のうち、一部の画像データ、すなわち基本階層とされる画像データは、放送受信端末９００に格納される。一方、基本階層に依存する画像データは、放送受信端末９００に接続される映像記録再生装置１０００等に格納される。映像の再生時には、放送受信端末９００は、基本階層とされる画像データの送信前に、分割された各画像データを合成するための情報を与えるピクチャ順序表を映像記録再生装置１０００に送信する。このようにすると、放送受信端末９００における画像データの記憶量を最小限に抑制しつつ、外部の映像記録再生装置１０００に、画質を低下することなく映像を再生させることができる。
【００９６】
なお、上記の実施の形態においては、画像データの分割は、ＭＰＥＧ符号化方式に基づいて符号化された画像データ、すなわちＩピクチャ、ＰピクチャおよびＢピクチャを対象として行なわれた。このような分割に代えて、空間周波数に基づいて動画像を表示するための動画像データを符号化し、予め定められた周波数以下の成分（以下、低周波成分）を有する画像データと、その周波数以上の成分（以下、高周波成分）を有する画像データとに分割してもよい。この場合、低周波成分のみを放送受信端末９００に記憶させる場合、動画像データに含まれていた高周波成分の画像データを表わすためのデータを、たとえば各画素を０と近似することにより、放送受信端末９００におけるデータ量を、削減することができる。一方、放送受信端末９００から高周波成分の入力を受ける映像記録再生装置１０００に、その高周波成分の画像データを記憶させてもよい。この場合、映像記録再生装置１０００には、高周波成分の画像データと低周波成分の画像データを合成するためのデータをさらに記憶させておく。このようにしても、映像の再生時に放送受信端末９００から入力を受ける低周波成分の画像データと、既に記憶していた高周波成分の画像データとを合成して、映像を再生することができる。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９８】
【図１】本発明の実施の形態に係る放送受信端末の構成を表すブロック図である。
【図２】本発明の実施の形態に係る放送受信端末におけるデータ構造を表わす図である。
【図３】本発明の実施の形態に係る映像記録再生装置の構成を表すブロック図である。
【図４】本発明の実施の形態に係る画像データの分割を説明するための図である。
【図５】本発明の実施の形態に係る放送受信端末が実行する処理の手順を表わすフローチャート（その１）である。
【図６】本発明の実施の形態に係る放送受信端末が実行する処理の手順を表わすフローチャート（その２）である。
【図７】本発明の実施の形態に係る映像記録再生装置が実行する処理の手順を表わすフローチャート（その１）である。
【図８】本発明の実施の形態に係る映像記録再生装置が実行する処理の手順を表わすフローチャート（その２）である。
【図９】本発明の実施の形態の変形例に係る放送受信端末の構成を表わすブロック図である。
【図１０】本発明の実施の形態の変形例に係る映像記録再生装置の構成を表わすブロック図である。
【図１１】本発明の実施の形態の変形例に係る放送受信端末が受信する地上デジタル放送の伝送路の構成を説明するための図である。
【符号の説明】
【００９９】
１００，９００  放送受信端末、１０２  アンテナ、１０３  チューナ、１０４  復調部、１０６  Ａ／Ｄ変換部、１０８  符号化部、１１０，１０１０  制御部、１１２  ピクチャ順序表記憶部、１１４，１０１４  不揮発メモリ、１１６  符号分割部、１１８  復号化部、１２０，１０２０  表示部、１２２，１０２２  インターフェース、１２４，１０２４  ＲＡＭ、３００，１０００  映像記録再生装置、３１０  ＣＰＵ、３２０  マウス、３３０  キーボード、３４０  メモリ、３５０  固定ディスク、３６０  ＦＤ駆動装置、３６２  ＦＤ、３７０  ＣＤ−ＲＯＭ駆動装置、３７２  ＣＤ−ＲＯＭ、３８０  モニタ、３９０  通信ＩＦ、９１６  ＴＳ−ＤＥＭＵＸ、１００６  ＴＳ合成部、１００８  ＴＳＤＥＭＵＸ、１０１８  ＭＰＥＧ復号部。
【図１】
2005277996.tif 000003
【図２】
2005277996.tif 000004
【図３】
2005277996.tif 000005
【図４】
2005277996.tif 000006
【図５】
2005277996.tif 000007
【図６】
2005277996.tif 000008
【図７】
2005277996.tif 000009
【図８】
2005277996.tif 000010
【図９】
2005277996.tif 000011
【図１０】
2005277996.tif 000012
【図１１】
2005277996.tif 000013